(57)【要約】【課題】肥料の配合、保管、及び取り扱いが容易であり、植物栽培に必要な肥料成分を培地に供給することができる肥料供給装置を提供する。【解決手段】酸性液を貯留する液タンク１と、酸性液によって溶出可能な肥料成分を含む造粒体が充填される通液可能な肥料カートリッジ２と、液タンク１から肥料カートリッジ２に酸性液を移送する送液ポンプ３と、肥料カートリッジ２から流出する流出液のｐＨ値及びＥＣ値を検出する第一センサ４と、送液ポンプ３の動作を制御する制御部５と、を備え、肥料カートリッジ２は、互いに異なる肥料成分を含む複数種の造粒体を種類毎に隔離した状態で収納し、造粒体の種類毎に酸性液が供給されるように構成されており、制御部５は、第一センサ４の検出値に基づいて、肥料カートリッジ２への酸性液の送液量を、造粒体の種類毎に制御可能に構成されている。【選択図】図１
2018029489.tif 000002
【特許請求の範囲】
【請求項１】
植物栽培用の培地に肥料を供給する肥料供給装置であって、
酸性液を貯留する液タンクと、
前記酸性液によって溶出可能な肥料成分を含む造粒体が充填される通液可能な肥料カートリッジと、
前記液タンクから前記肥料カートリッジに前記酸性液を移送する送液ポンプと、
前記肥料カートリッジから流出する流出液のｐＨ値及びＥＣ値を検出する第一センサと、
前記送液ポンプの動作を制御する制御部と、
を備え、
前記肥料カートリッジは、互いに異なる肥料成分を含む複数種の造粒体を種類毎に隔離した状態で収納し、前記造粒体の種類毎に前記酸性液が供給されるように構成されており、
前記制御部は、前記第一センサの検出値に基づいて、前記肥料カートリッジへの前記酸性液の送液量を、前記造粒体の種類毎に制御可能に構成されている肥料供給装置。
【請求項２】
前記制御部は、前記流出液のｐＨ値が２．０〜３．０、ＥＣ値が２．５〜７．５ｍＳ／ｃｍを維持するように、前記送液量を制御する請求項１に記載の肥料供給装置。
【請求項３】
前記造粒体は、粒径が０．５〜１０ｍｍであり、かさ比重が０．７ｇ／ｃｃ以下であり、イオン交換容量が１０ｍｅｑ／１００ｃｃ以上である請求項１又は２に記載の肥料供給装置。
【請求項４】
前記造粒体の種類毎に含まれる肥料成分の元素は、夫々、Ｎ、Ｐ、Ｋ、Ｍｇ、Ｃａ、及びＳからなる群から選択される何れか一種である請求項１〜３の何れか一項に記載の肥料供給装置。
【請求項５】
前記酸性液は、ｐＨ値が１．５〜２．５であり、ＥＣ値が１．５〜７．０ｍＳ／ｃｍである請求項１〜４の何れか一項に記載の肥料供給装置。
【請求項６】
前記制御部は、予め設定されたスケジュールに基づいて、前記送液量を制御する請求項１〜５の何れか一項に記載の肥料供給装置。
【請求項７】
前記培地のｐＨ値及びＥＣ値を検出する第二センサを備え、
前記制御部は、前記第二センサの検出値の変化率を算出し、当該変化率に基づいて、前記送液量を制御する請求項１〜５の何れか一項に記載の肥料供給装置。
【請求項８】
前記制御部は、前記変化率が所定の閾値以下になったとき、前記送液ポンプを停止させる請求項７に記載の肥料供給装置。
【発明の詳細な説明】
【技術分野】
【０００１】
本発明は、植物栽培用の培地に肥料を供給する肥料供給装置に関する。
【背景技術】
【０００２】
肥料供給装置は、水耕栽培や植物工場等において広く採用されている。肥料供給装置の開発にあたっては、栽培する野菜や果樹等の品種や生長に合った適切な配合の肥料を供給することが求められる。特に、植物等の各生長段階に対して肥料の配合が適切であることは、発育不良を起こさず量産していく上で重要なことである。
【０００３】
従来の肥料供給装置の例として、栽培する植物の種類、栽培周辺の環境に併せて、肥料である養液に含まれる栄養分の割合や、養液の供給量、供給時刻を自由に設定できる養液栽培システムが提案されている（例えば、特許文献１を参照）。特許文献１によれば、複数の原液タンクに貯留された互いに異なる肥料成分からなる原液を供給することにより、各原液の割合及び供給量の制御を可能としている。
【先行技術文献】
【特許文献】
【０００４】
【特許文献１】特開平８−１７２９４７号公報
【発明の概要】
【発明が解決しようとする課題】
【０００５】
特許文献１の養液栽培システムは、夫々の原液タンクから供給された原液が一度養液タンクに集められて混合されるため、培地に供給される原液の種類毎のｐＨ値やＥＣ値等の情報は不明であり、原液の種類毎に適したｐＨ値やＥＣ値に調整することは不可能である。また、肥料成分からなる原液が液体であることから、保管時及び使用時に雑菌の繁殖や害虫の発生が起こり易い。このため、定期的な原液の入れ替えや、雑菌を除去するための原液タンクの洗浄等が必要となる。また、植物の種類や各生長段階に応じて必要とされる肥料の配合は、多種多様であり、且つ夫々細かく異なる。このため、植物の種類や各生長段階に応じて肥料の配合を変更する場合、液肥のタンクの入れ替えや、洗浄等が必要となる。このように、従来の養液栽培システムは、原液の配合、保管、及び取り扱いの点で改善の余地があった。
【０００６】
本発明は、上記問題点に鑑みてなされたものであり、肥料の配合、保管、及び取り扱いが容易であり、植物栽培に必要な肥料成分を培地に供給することができる肥料供給装置を提供することを目的とする。
【課題を解決するための手段】
【０００７】
上記課題を解決するための本発明に係る肥料供給装置の特徴構成は、
植物栽培用の培地に肥料を供給する肥料供給装置であって、
酸性液を貯留する液タンクと、
前記酸性液によって溶出可能な肥料成分を含む造粒体が充填される通液可能な肥料カートリッジと、
前記液タンクから前記肥料カートリッジに前記酸性液を移送する送液ポンプと、
前記肥料カートリッジから流出する流出液のｐＨ値及びＥＣ値を検出する第一センサと、
前記送液ポンプの動作を制御する制御部と、
を備え、
前記肥料カートリッジは、互いに異なる肥料成分を含む複数種の造粒体を種類毎に隔離した状態で収納し、前記造粒体の種類毎に前記酸性液が供給されるように構成されており、
前記制御部は、前記第一センサの検出値に基づいて、前記肥料カートリッジへの前記酸性液の送液量を、前記造粒体の種類毎に制御可能に構成されていることにある。
【０００８】
本構成の肥料供給装置によれば、液タンクに貯留された酸性液が肥料カートリッジに送液ポンプによって移送されることにより、肥料カートリッジに充填された造粒体から肥料成分を溶出することができる。肥料カートリッジは、互いに異なる肥料成分を含む複数種の造粒体を種類毎に隔離した状態で収納し、造粒体の種類毎に酸性液が供給されるように構成されていることにより、造粒体の種類毎に供給された酸性液の量に応じた量の肥料成分を溶出することができる。第一センサが肥料カートリッジから流出する流出液のｐＨ値及びＥＣ値を検出することにより、制御部が検出値に基づいて、肥料カートリッジへの酸性液の送液量を、造粒体の種類毎に制御する。これにより、肥料成分の種類毎の溶出量が制御可能であるため、植物栽培に必要な肥料成分を培地に供給することができ、植物の生育性を良好にすることができる。また、肥料成分が固体である造粒体に担持されているため、液体と比べて雑菌の繁殖や害虫の発生を抑制することができる。
【０００９】
本発明に係る肥料供給装置において、
前記制御部は、前記流出液のｐＨ値が２．０〜３．０、ＥＣ値が２．５〜７．５ｍＳ／ｃｍを維持するように、前記送液量を制御することが好ましい。
【００１０】
本構成の肥料供給装置によれば、制御部が流出液のｐＨ値及びＥＣ値を所定の範囲に維持するように制御することにより、植物の栽培に好適な肥料成分を培地に供給することができる。
【００１１】
本発明に係る肥料供給装置において、
前記造粒体は、粒径が０．５〜１０ｍｍであり、かさ比重が０．７ｇ／ｃｃ以下であり、イオン交換容量が１０ｍｅｑ／１００ｃｃ以上であることが好ましい。
【００１２】
本構成の肥料供給装置によれば、造粒体は、粒径、及びかさ比重が適切な範囲に設定されているため、肥料カートリッジの内部に充填されても、肥料カートリッジ内部において液体が十分に通流可能であり、造粒体の通水抵抗が過大にならない。また、造粒体のイオン交換容量が適切な範囲に設定されているため、造粒体に十分な量の肥料成分を担持させることができる。その結果、効率よくかつ効果的に肥料成分を培地に供給することができる。
【００１３】
本発明に係る肥料供給装置において、
前記造粒体の種類毎に含まれる肥料成分の元素は、夫々、Ｎ、Ｐ、Ｋ、Ｍｇ、Ｃａ、及びＳからなる群から選択される何れか一種であることが好ましい。
【００１４】
本構成の肥料供給装置によれば、造粒体の種類毎に含まれる肥料成分の元素として、上記の適切な元素を選択することで、植物の生長に不可欠なこれらの代表的なイオンが培地に供給され、栽培植物の生長を促すことができる。
【００１５】
本発明に係る肥料供給装置において、
前記酸性液は、ｐＨ値が１．５〜２．５であり、ＥＣ値が１．５〜７．０ｍＳ／ｃｍであることが好ましい。
【００１６】
本構成の肥料供給装置によれば、酸性液として、所定の範囲のｐＨ値及びＥＣ値を有するものを選択することで、肥料カートリッジに充填された造粒体に含まれる肥料成分が十分に流出液中に溶出され、植物の栽培に好適な肥料成分を培地に供給することができる。
【００１７】
本発明に係る肥料供給装置において、
前記制御部は、予め設定されたスケジュールに基づいて、前記送液量を制御することが好ましい。
【００１８】
本構成の肥料供給装置によれば、制御部が、予め設定されたスケジュールに基づいて、肥料カートリッジへの酸性液の送液量を制御することで、植物の種類や生長段階に応じたスケジュールに沿って必要な肥料成分を供給することができる。
【００１９】
本発明に係る肥料供給装置において、
前記培地のｐＨ値及びＥＣ値を検出する第二センサを備え、
前記制御部は、前記第二センサの検出値の変化率を算出し、当該変化率に基づいて、前記送液量を制御することが好ましい。
【００２０】
本構成の肥料供給装置によれば、培地のｐＨ値及びＥＣ値を検出する第二センサを備え、第二センサの検出値の変化率を算出し、変化率に基づいて、肥料カートリッジへの酸性液の送液量を制御することで、培地の状態変化を示す検出値の変化率から植物の生長の状態を把握することができる。その結果、植物が必要としている肥料成分を随時供給することができる。
【００２１】
本発明に係る肥料供給装置において、
前記制御部は、前記変化率が所定の閾値以下になったとき、前記送液ポンプを停止させることが好ましい。
【００２２】
本構成の肥料供給装置によれば、第二センサの検出値の変化率が所定の閾値以下になったとき、送液ポンプを停止させることで、培地に肥料成分が過剰に供給されることが無くなり、植物の立ち枯れ、雑菌の繁殖、害虫の発生等が防止される。
【図面の簡単な説明】
【００２３】
【図１】図１は、第一実施形態に係る肥料供給装置のブロック図である。
【図２】図２は、肥料カートリッジの説明図である。
【図３】図３は、第二実施形態に係る肥料供給装置のブロック図である。
【発明を実施するための形態】
【００２４】
以下、本発明に係る肥料供給装置に関する実施形態について、図面を参照して説明する。なお、本発明は、以下に説明する実施形態や図面に記載される構成に限定されることを意図しない。
【００２５】
＜第一実施形態＞
図１は、第一実施形態に係る肥料供給装置１００のブロック図である。肥料供給装置１００は、植物栽培用の培地に肥料を供給する装置である。図１に示すように、肥料供給装置１００は、液タンク１、肥料カートリッジ２、送液ポンプ３、第一センサ４、及び制御部５を備え、さらに、データ格納部６、及び演算部７を備える。以下、第一実施形態に係る肥料供給装置１００が備える各構成について説明する。
【００２６】
［液タンク］
液タンク１は、内部に酸性液を貯留する容器である。酸性液としては、植物に対して無害な酸であれば特に限定されず、例えば、クエン酸、リンゴ酸、フマル酸、コハク酸、シュウ酸、マロン酸、ピシジン酸、ムギネ酸、又はこれらの二種類以上を混合した混酸を含む水溶液が挙げられる。
【００２７】
［肥料カートリッジ］
肥料カートリッジ２は、複数の中空構造のカラム２ａ、２ｂ、２ｃを含むように構成される。なお、図１では、３つのカラム２ａ、２ｂ、２ｃを含むものを例示しているが、肥料カートリッジ２のカラムは複数個あればよく、３つに限らない。図２は、肥料カートリッジ２の説明図である。肥料カートリッジ２には、互いに異なる肥料成分を含む複数種の以下に詳述する造粒体３０が収納されている。すなわち、カラム２ａ、２ｂ、２ｃには、造粒体３０がカラム毎に隔離した状態で収納され、さらに、カラム２ａ、２ｂ、２ｃ毎に、互いに異なる肥料成分を含む造粒体３０（３０ａ、３０ｂ、３０ｃ）が充填されている。各カラム２ａ、２ｂ、２ｃ内において、隣接する造粒体３０ａ、３０ｂ、又は３０ｃ同士の間には、一定の隙間Ｓが存在し、この隙間Ｓを液体が通過可能である。また、肥料カートリッジ２自体も、上下方向で通液可能な構造となっている。従って、造粒体３０（３０ａ、３０ｂ、３０ｃ）が充填されたカラム２ａ、２ｂ、２ｃの上側から液を注入すると、液は造粒体３０（３０ａ、３０ｂ、３０ｃ）と接触しながらカラム２ａ、２ｂ、２ｃの内部を通過し、カラム２ａ、２ｂ、２ｃの下側から抜ける。肥料カートリッジ２は、造粒体３０（３０ａ、３０ｂ、３０ｃ）の種類毎に液タンク１の酸性液が供給されるように、液タンク１と３つのカラム２ａ、２ｂ、２ｃとの間に個別の流路が形成されている。
【００２８】
造粒体３０（３０ａ、３０ｂ、３０ｃ）は、粒径が０．５〜１０ｍｍであり、かさ比重が０．７ｇ／ｃｃ以下であり、イオン交換容量が１０ｍｅｑ／１００ｃｃ以上であることが好ましい。これにより、造粒体３０（３０ａ、３０ｂ、３０ｃ）が夫々肥料カートリッジ２のカラム２ａ、２ｂ、２ｃ内部に充填されても、カラム２ａ、２ｂ、２ｃ内部において液体が十分に通流可能であり、造粒体３０（３０ａ、３０ｂ、３０ｃ）の通水抵抗が過大にならない。また、造粒体３０（３０ａ、３０ｂ、３０ｃ）は、イオン交換容量が１０ｍｅｑ／１００ｃｃ以上であるため、造粒体３０（３０ａ、３０ｂ、３０ｃ）に十分な量のイオン（肥料成分）を担持させることができ、効率よく、かつ効果的に肥料成分を培地に供給することができる。粒径が０．５ｍｍ未満の場合、造粒体３０が微細なものとなって、カラム２ａ、２ｂ、２ｃ内で造粒体３０が密に充填されるため、液体の通流が妨げられる。一方、造粒体３０の粒径が１０ｍｍを超えると、造粒体３０と液体との接触面積が小さくなり、十分な量のイオンが溶出されない。その結果、十分な量の肥料成分を培地に供給することができず、植物の生長が阻害される虞がある。造粒体３０の粒径は、造粒工程における原材料の配合、造粒時間、又は造粒後の篩掛け等により調整することができる。造粒体３０のかさ比重が０．７ｇ／ｃｃを超えると、造粒体３０に保持できる水分が少なくなるとともに、少量の水分が強い力で造粒体３０に吸着するため、イオン交換が十分に行われず、十分な量の肥料成分を培地に供給することができなくなって、植物の生長が阻害される虞がある。また、イオン交換容量が１０ｍｅｑ／１００ｃｃ未満であると、造粒体３０に十分にイオンが取り込まれず、取り込まれたイオンも早期に流出してしまう虞がある。
【００２９】
造粒体３０は、異なる３種類の造粒体３０ａ、３０ｂ、３０ｃを含有する。これら３種類の造粒体３０（３０ａ、３０ｂ、３０ｃ）は、夫々の種類毎に植物の生育に必要な異なる元素を含むイオン、すなわち肥料成分を担持可能である。なお、造粒体３０は、例示した造粒体３０（３０ａ、３０ｂ、３０ｃ）以外に、他の種類の造粒体や、抗菌剤、防カビ剤等の追加成分を含むものであってもよい。
【００３０】
造粒体３０（３０ａ、３０ｂ、３０ｃ）の種類毎に含まれる肥料成分の元素は、夫々、Ｎ、Ｐ、Ｋ、Ｍｇ、Ｃａ、及びＳからなる群から選択される何れか一種であることが好ましい。すなわち、造粒体３０ａ、３０ｂ、３０ｃは夫々、Ｎ、Ｐ、Ｋ、Ｍｇ、Ｃａ、及びＳのうちの何れか一種のイオンを含む。このため、造粒体３０から植物の生長に不可欠なこれらの代表的な３種類のイオンが培地に供給され、栽培植物の生長を促すことができる。
【００３１】
各造粒体３０（３０ａ、３０ｂ、３０ｃ）は、イオンを担持させるため、イオン交換体が用いられる。例えば、第１造粒体３０ａはリン（Ｐ）のイオン交換体、第２造粒体３０ｂは窒素（Ｎ）のイオン交換体、第３造粒体３０ｃはカリウム（Ｋ）のイオン交換体を夫々含むように構成される。これにより、第１造粒体３０ａ、第２造粒体３０ｂ、及び第３造粒体３０ｃは、夫々の造粒体毎に異なるイオンを担持可能である。イオン交換体の種類としては、植物の生育に必要なイオンを取り込み可能なイオン交換性鉱物が好ましい。本実施形態の場合、造粒体３０（３０ａ、３０ｂ、３０ｃ）は、植物の生育に必要なイオンを３種含むことができる。従って、イオンとして適切なものを選択すれば、植物の生育に好ましい養分が含まれた造粒体３０（３０ａ、３０ｂ、３０ｃ）を構成することができる。
【００３２】
造粒体３０は、造粒体３０（３０ａ、３０ｂ、３０ｃ）毎に異なる元素が含まれるイオンが担持されるため、造粒体３０のイオン交換体の種類を変更することにより、造粒体３０に含有可能な肥料成分の配合を調整することができる。このような造粒体３０を用いれば、栽培植物３０の種類や生長に応じて、イオンの種類（すなわち、肥料の種類）、及びイオンの供給量（すなわち、施肥量）を細かくコントロールすることができ、植物の生育性を良好に維持することができる。また、肥料成分が固体である造粒体３０（３０ａ、３０ｂ、３０ｃ）に担持されているため、液体と比べて雑菌の繁殖やボウフラ等の害虫の発生を抑制することができる。
【００３３】
造粒体３０を代表して、造粒体３０ａの形成方法について説明する。造粒体３０ａの材料として、ゼオライトのような無機天然鉱物を使用する場合、高分子ゲル化剤のゲル化反応を利用して粒状化させることができる。高分子ゲル化剤のゲル化反応として、例えば、アルギン酸塩と多価金属イオンとのゲル化反応、カルボキシメチルセルロース（ＣＭＣ）のゲル化反応、カラギーナン等の多糖類の二重らせん構造化反応によるゲル化反応が挙げられる。このうち、アルギン酸塩と多価金属イオンとのゲル化反応について説明する。アルギン酸塩の一つであるアルギン酸ナトリウムは、アルギン酸のカルボキシル基がＮａイオンと結合した形態の中性塩である。アルギン酸は水に不溶であるが、アルギン酸ナトリウムは水溶性である。アルギン酸ナトリウム水溶液を多価金属イオン（例えば、Ｃａイオン）の水溶液中に添加すると、アルギン酸ナトリウムの分子間でイオン架橋が起こりゲル化する。本実施形態の場合、ゲル化反応は、以下の工程により行うことができる。初めに、アルギン酸塩を水に溶解させてアルギン酸塩水溶液を調製し、アルギン酸塩水溶液にイオン交換体を添加し、これを十分攪拌して、アルギン酸塩水溶液中にイオン交換体が分散した混合液とする。次に、混合液を多価金属イオン水溶液中に滴下し、混合液に含まれるアルギン酸塩を粒状にゲル化させる。その後、ゲル化した粒子を回収して水洗し、十分に乾燥させる。これにより、アルギン酸塩及び多価金属イオンから形成されるアルギン酸ゲル中にイオン交換体が分散した粒状物が得られる。
【００３４】
ゲル化反応に使用可能なアルギン酸塩は、例えば、アルギン酸ナトリウム、アルギン酸カリウム、アルギン酸アンモニウムが挙げられる。これらのアルギン酸塩は、二種以上を組み合わせて使用することも可能である。アルギン酸塩水溶液の濃度は、０．１〜５重量％とし、好ましくは０．２〜５重量％とし、より好ましくは０．２〜３重量％とする。アルギン酸塩水溶液の濃度が０．１重量％未満の場合、ゲル化反応が起こり難くなり、５重量％を超えると、アルギン酸塩水溶液の粘度が大きくなり過ぎるため、イオン交換体を添加した混合液の攪拌や、混合液を多価金属イオン水溶液中に滴下することが困難になる。
【００３５】
アルギン酸塩水溶液を滴下する多価金属イオン水溶液は、アルギン酸塩と反応してゲル化する２価以上の金属イオン水溶液であればよい。そのような多価金属イオン水溶液の例として、塩化カルシウム、塩化バリウム、塩化ストロンチウム、塩化ニッケル、塩化アルミニウム、塩化鉄、塩化コバルト等の多価金属の塩化物水溶液、硝酸カルシウム、硝酸バリウム、硝酸アルミニウム、硝酸鉄、硝酸銅、硝酸コバルト等の多価金属の硝酸塩水溶液、乳酸カルシウム、乳酸バリウム、乳酸アルミニウム、乳酸亜鉛等の多価金属の乳酸塩水溶液、硫酸アルミニウム、硫酸亜鉛、硫酸コバルト等の多価金属の硫酸塩水溶液が挙げられる。これらの多価金属イオン水溶液は、二種以上を組み合わせて使用することも可能である。多価金属イオン水溶液の濃度は、１〜２０重量％とし、好ましくは２〜１５重量％とし、より好ましくは３〜１０重量％とする。多価金属イオン水溶液の濃度が１重量％未満の場合、ゲル化反応が起こり難くなり、２０重量％を超えると、金属塩の溶解に時間が掛かるとともに、過剰の材料を使用することになるため、経済的ではない。
【００３６】
造粒体３０ａの形成にあたっては、バインダーを用いて粒状化を行うこともできる。例えば、イオン交換体にバインダーや溶媒等を加えて混合し、この原料混合物を造粒機に導入して、転動造粒、流動層造粒、攪拌造粒、圧縮造粒、押出造粒、破砕造粒、溶融造粒、噴霧造粒等の公知の造粒法により、粒状物を形成する。また、イオン交換体にバインダーを加え、さらに必要に応じて溶媒等を加えて混練し、これを乾燥してブロック状にしたものを、乳鉢及び乳棒、ハンマーミル、ロールクラッシャー等の粉砕手段で適宜粉砕して粒状物とすることも可能である。粒状物は、必要に応じて乾燥及び分級が行われ、造粒体３０ａとされる。
【００３７】
造粒体３０ａを構成するバインダーは、有機バインダー又は無機バインダーの何れも使用可能である。有機バインダーは、例えば、ポリオレフィン系バインダー、ポリビニルアルコール系バインダー、ポリウレタン系バインダー、ポリ塩化ビニル系バインダー、ポリエステル系バインダー、スチロール系バインダー、及びポリ酢酸ビニル系バインダー等の合成樹脂系バインダー、デンプン、カラギーナン、キサンタンガム、ジェランガム、及びアルギン酸等の多糖類、膠等の動物性たんぱく質等の天然物系バインダーが挙げられる。無機バインダーは、例えば、水ガラス等のケイ酸系バインダー、リン酸アルミニウム等のリン酸塩系バインダー、ホウ酸アルミニウム等のホウ酸塩系バインダー、セメント等の水硬性バインダーが挙げられる。有機バインダー及び無機バインダーは、二種以上を組み合わせて使用することも可能である。
【００３８】
バインダーは、水不溶性のバインダーを用いることが好ましい。これにより、酸性液が通過するときに造粒体３０ａの構造が崩壊することを防ぐことができる。水不溶性のバインダーとしては、例えば、樹脂材料が挙げられる。そのような樹脂材料として、例えば、ポリエチレン、及びポリプロピレン等のポリオレフィン系樹脂、ポリ塩化ビニル、及びポリ塩化ビニリデン等の塩化ビニル系樹脂、ポリエチレンテレフタレート等のポリエステル系樹脂、ポリスチレン等のスチロール系樹脂、酢酸ビニル、及びエチレン酢酸ビニル等の酢酸ビニル系樹脂、ポリウレタン、及びビニルウレタン等のウレタン系樹脂等が挙げられる。これらのうち、ポリエチレンが好ましい。また、樹脂材料に代えて、アクリルアミド等の高分子ゲル化剤、アルギン酸塩やカラギーナン等の天然多糖類系ゲル化剤、天然ゴムやシリコーンゴム等のゴム系コーティング剤等を使用することも可能である。さらに、樹脂架橋剤を使用することもできる。そのような樹脂架橋剤としては、例えば、イソシアネート、ビニルスルホン化合物、アジリジン、ジヒドラジド、メチル化アミン、ジグリシジルエーテル、カルボジイミド、ホルムアルデヒド、チタンカップリング剤、シランカップリング剤等が挙げられる。
【００３９】
粒状物は、必要に応じて乾燥及び分級が行われ、造粒体３０ａとされる。イオンが担持される前の造粒体３０ａは、適当なイオンを含む液に浸漬された後に、必要に応じてさらに乾燥される。これにより、イオンが担持された造粒体３０ａが得られる。
【００４０】
［送液ポンプ］
送液ポンプ３は、液タンク１と肥料カートリッジ２との間の流路上に設置される。詳細には、送液ポンプ３（３ａ、３ｂ、３ｃ）は夫々、液タンク１と肥料カートリッジ２のカラム２ａ、２ｂ、２ｃとの間の流路上に設置される。送液ポンプ３（３ａ、３ｂ、３ｃ）を駆動することにより、液タンク１から肥料カートリッジ２のカラム２ａ、２ｂ、２ｃに酸性液が夫々移送される。送液ポンプ３としては、例えば、タービンポンプ、カスケードポンプ、ピストンポンプ、ギヤーポンプ等の各種ポンプを使用することができる。送液ポンプ３ａ、３ｂ、３ｃを制御することにより、夫々のカラム２ａ、２ｂ、２ｃへの酸性液の送液量を制御することが可能となる。
【００４１】
酸性液がカラム２ａ、２ｂ、２ｃの内部に通液されると、造粒体３０のイオン交換体に担持された肥料成分が溶出される。酸性液は、ｐＨ値が１．５〜２．５であり、ＥＣ値が１．５〜７．０ｍＳ／ｃｍであることが好ましい。酸性液として、所定の範囲のｐＨ値及びＥＣ値を有するものを選択することで、肥料カートリッジに充填された造粒体に含まれる肥料成分が十分に流出液中に溶出され、植物の栽培に好適な肥料成分を培地に供給することができる。酸性液のｐＨ値が１．５未満の場合、培地に供給される流出液が強酸側に偏るため、植物の生長が阻害される虞がある。酸性液のｐＨ値が２．５を超える場合、造粒体３０から十分な量の肥料成分が溶出されず、植物の生長が阻害される虞がある。ＥＣ値が１．５未満の場合、必要な量の肥料成分が植物に供給されずに、植物が発育不良を起こす虞がある。一方、ＥＣ値が７．０を超える場合、必要以上の量の肥料成分が培地に供給されるため、植物の立ち枯れが発生したり、余った肥料成分を栄養分として雑菌や害虫が繁殖する虞がある。
【００４２】
［第一センサ］
第一センサ４は、肥料カートリッジ２の下流側である酸性液の流出側に設けられる。すなわち、第一センサ４ａ、４ｂ、４ｃは、カラム２ａ、２ｂ、２ｃの流出側に夫々設置される。第一センサ４は、肥料カートリッジ２から流出する流出液のｐＨ値及びＥＣ値を検出する。すなわち、第一センサ４ａ、４ｂ、４ｃは、夫々、カラム２ａ、２ｂ、２ｃから流出する夫々の流出液のｐＨ値及びＥＣ値を個別に検出する。
【００４３】
［制御部］
制御部５は、送液ポンプ３ａ、３ｂ、３ｃを制御するとともに、第一センサ４ａ、４ｂ、４ｃからの検知信号を受信可能である。また、制御部５は、データ格納部６、及び演算部７に接続されている。制御部５には、パソコン等の情報処理装置を使用することができる。制御部５は、第一センサ４（４ａ、４ｂ、４ｃ）の夫々の検出値に基づいて、送液ポンプ３（３ａ、３ｂ、３ｃ）の動作を制御し、肥料カートリッジ２への酸性液の送液量を造粒体の種類毎に調整することができる。ここで、制御部５は、流出液のｐＨ値が２．０〜３．０、ＥＣ値が２．５〜７．５ｍＳ／ｃｍを維持するように、送液量を制御することが好ましい。制御部５が流出液のｐＨ値及びＥＣ値を上記所定の範囲に維持するように制御することにより、植物の栽培に好適な肥料成分を培地に供給することができる。流出液のｐＨ値が２．０未満の場合、培地に供給される流出液が強酸側に偏るため、植物の生長が阻害される虞がある。流出液のｐＨ値が３．０を超える場合、造粒体３０から十分な量の肥料成分が溶出されず、植物の生長が阻害される虞がある。ＥＣ値が２．５未満の場合、必要な量の肥料成分が植物に供給されずに、植物が発育不良を起こす虞がある。一方、ＥＣ値が７．５を超える場合、必要以上の量の肥料成分が培地に供給されて、植物に吸収されるため、植物の立ち枯れが発生したり、余った肥料成分を養分として雑菌や害虫が繁殖する虞がある。
【００４４】
［データ格納部］
データ格納部６は、第一センサ４（４ａ、４ｂ、４ｃ）で検出された夫々の検出値を格納する。また、データ格納部６は、外部入力される予め設定されたスケジュール等を格納することも可能である。データ格納部６には、制御部５を介してデータの入出力が行われる。
【００４５】
［演算部］
演算部７は、必要に応じて、データ格納部６に格納されたデータを制御部５に要求し、制御部５は、データ格納部６から必要なデータを演算部７に送信する。演算部７は、夫々の検出値から、予め設定されたデータとの差分やデータの変化率等の演算をする。また、演算部７は、予め設定されているデータ等を基に、変化率から必要な送液量を算出することも可能である。
【００４６】
肥料供給装置１００においては、制御部５は、予め設定されたスケジュールに基づいて、送液量を制御することが好ましい。ユーザーは、栽培予定の植物に適した肥料成分の供給スケジュールをデータ格納部６に予め格納しておく。制御部５は、予め設定されたスケジュールに基づいて、肥料カートリッジ２への酸性液の送液量を制御する。すなわち、所定のスケジュールに沿って送液ポンプ３（３ａ、３ｂ、３ｃ）の動作を制御し、カラム２ａ、２ｂ、２ｃへ送液する酸性液の送液量を制御することにより、培地に供給する肥料の種類や配合を肥料成分毎に制御できる。その結果、植物の種類や生長段階に応じたスケジュールに沿って植物に必要な肥料成分を供給することができる。
【００４７】
＜第二実施形態＞
図３は、第二実施形態に係る肥料供給装置１０１のブロック図である。図３に示すように、肥料供給装置１０１においては、第一実施形態の肥料供給装置１００に加えて、判定部８、及び第二センサ９を備える。判定部８は、演算部７で算出された変化率等の値について判定を行う。制御部５は、判定部８で判定された結果に基づいて、送液ポンプ３（３ａ、３ｂ、３ｃ）の動作を制御することができる。第二センサ９は、培地の状態を示すｐＨ値及びＥＣ値を検出する。培地のｐＨ値及びＥＣ値は、供給される肥料カートリッジ２からの流出液、及び植物が培地から吸収又は培地に排出する成分によって変化する。すなわち、植物の生長の具合によって培地の状態は随時変化する。第二センサ９によって検出された検出値は、データ格納部６に随時格納される。例えば、所定の時間毎に第二センサ９の検出値が抽出されて、演算部７で変化率が算出される。演算部７は、当該変化率に基づいて、植物に必要な肥料成分を肥料カートリッジ２から抽出することができる酸性液の送液量を算出する。制御部５は、送液ポンプ３（３ａ、３ｂ、３ｃ）の動作を制御し、算出された送液量の酸性液を肥料カートリッジ２に供給する。このように、培地の状態変化を示す検出値の変化率から植物の生長の状態を把握することにより、植物が必要としている肥料成分を随時供給することができる。
【００４８】
制御部５は、第二センサ９によって検出された検出値の変化率が所定の閾値以下になったとき、送液ポンプ３（３ａ、３ｂ、３ｃ）を停止させることが好ましい。例えば、植物が十分に生長してそれ以上の生長が殆ど見られなくなった場合、植物が培地から吸収する肥料成分の量が減少し、培地のｐＨ値及びＥＣ値の変化が小さくなる。判定部８は、演算部７で算出された変化率が所定の閾値以下であるか否かを判定する。変化率が所定の閾値以下である場合、その判定結果が制御部５に伝達され、制御部５は、送液ポンプ３（３ａ、３ｂ、３ｃ）の動作を停止する。これにより、培地に肥料成分が過剰に供給されることが無くなり、植物の立ち枯れ、雑菌の繁殖、害虫の発生等が防止される。なお、変化率が所定の閾値より大きい場合は、制御部５は、送液ポンプ３（３ａ、３ｂ、３ｃ）の動作を連続して稼働させる。これにより、引き続き培地に肥料成分が供給され、植物の生長が促される。
【実施例】
【００４９】
第一実施形態に係る肥料供給装置を使用して小松菜の生育性について評価した。造粒体として、Ｋ＋、ＮＨ４＋、ＮＯ３−、ＰＯ４３−、Ｍｇ２＋、Ｃａ２＋、及びＳＯ４２−を夫々担持させたもの（造粒体１〜７）を調製し、肥料カートリッジに各造粒体を種類毎に別々に充填した。造粒体の組み合わせ、並びに酸性液として使用するクエン酸のｐＨ値及びＥＣ値が異なる肥料供給装置（実施例１〜４）を使用し、小松菜の生育性を評価した。また、参考のため、酸性液としてｐＨ値が５．０、１．４のクエン酸を使用した肥料供給装置（参考例１及び２）、並びに市販の混合液肥を用いて栽培したもの（参考例３）について評価した。
【００５０】
造粒体１〜７について、Ｋ＋、ＮＨ４＋、Ｍｇ２＋、及びＣａ２＋の陽イオンを担持する造粒体には原材料としてゼオライト（イタヤゼオライトＺ−０５、０．１〜０．３ｍｍ分級品、ジークライト株式会社製）を使用し、ＮＯ３−、ＰＯ４３−、及びＳＯ４２−の陰イオンを担持する造粒体には原材料としてハイドロタルサイト（和光純薬株式会社製）を使用した。各原材料を結合するバインダーとしてアンモニウムカルボキシメチルセルロース（キッコレート（登録商標）ＮＡ−Ｈ、ニチリン化学工業株式会社製）を使用した。
【００５１】
（造粒体１）
陽イオン交換性鉱物としてゼオライト２０００ｇと、バインダー３００ｇと、水２０００ｇとを攪拌混合造粒装置（ＭＧＳ１２型、有限会社Ｇ−Ｌａｂｏ製）に投入し、数分間攪拌及び転動して粒状物を形成した。この粒状物を８０℃で１２時間乾燥し、さらに１３０℃で３時間熱処理を行い、その後冷却して造粒体とした。得られた造粒体を篩にかけ、粒径が３〜４ｍｍに分級したものを０．５ｍｏｌ／ＬのＫＣｌ水溶液に３時間浸漬した。この造粒体を大量の水で３回洗浄した後、これを乾燥してＫ＋を担持する造粒体１とした。
【００５２】
（造粒体２）
バインダー４００ｇを使用したこと、及び造粒体を０．５ｍｏｌ／ＬのＮＨ４Ｃｌ水溶液に浸漬したこと以外は造粒体１と同様にしてＮＨ４＋を担持する造粒体２を得た。
【００５３】
（造粒体３）
陰イオン交換性鉱物としてハイドロタルサイト２０００ｇを使用したこと、及び造粒体を０．５ｍｏｌ／ＬのＮＨ４ＮＯ３水溶液に浸漬したこと以外は造粒体２と同様にして、ＮＯ３−担持する造粒体３を得た。
【００５４】
（造粒体４）
造粒体を０．５ｍｏｌ／Ｌの（ＮＨ４）２ＨＰＯ４水溶液に浸漬したこと以外は造粒体３と同様にして、ＰＯ４３−を担持する造粒体４を得た。
【００５５】
（造粒体５）
造粒体を０．５ｍｏｌ／ＬのＭｇＣｌ２水溶液に浸漬したこと以外は造粒体２と同様にして、Ｍｇ２＋を担持する造粒体５を得た。
【００５６】
（造粒体６）
造粒体を０．５ｍｏｌ／ＬのＣａＣｌ２水溶液に浸漬したこと以外は造粒体２と同様にして、Ｃａ２＋を担持する造粒体６を得た。
【００５７】
（造粒体７）
造粒体を０．５ｍｏｌ／ＬのＭｇＳＯ４水溶液に浸漬したこと以外は造粒体３と同様にして、ＳＯ４２−を担持する造粒体７を得た。
【００５８】
〔実施例１〜４〕
表１に示す条件（クエン酸のｐＨ値及びＥＣ値、並びに造粒体の組み合わせ）に従って第一実施形態に準じた肥料供給装置（実施例１〜４）を構成し、小松菜の生育性について評価した。肥料カートリッジに、造粒体１〜７を夫々２００ｇ充填し、予め小松菜の生育に好ましく設定されたスケジュールに基づいて酸性液を肥料カートリッジに供給することにより、溶出された各肥料成分を培地に供給した。
【００５９】
〔参考例〕
参考例１及び２として、実施例１〜４と同様に、表１に示す条件（クエン酸のｐＨ値及びＥＣ値、並びに造粒体の組み合わせ）に従って小松菜を生育し、評価した。参考例３については、肥料供給装置を使用せず、市販の液肥をそのまま小松菜に施肥した。液肥は、ＯＡＴハウス１号（ＯＡＴアグリオ株式会社製）３重量部に対して、ＯＡＴハウス２号（ＯＡＴアグリオ株式会社製）２重量部を混合した混合液肥を使用した。
【００６０】
【表１】
2018029489.tif 000003
【００６１】
実施例１〜４、及び参考例１〜３について、小松菜の生育性、単独肥料の濃度管理、及び肥料成分の微調整について評価した。
【００６２】
培地を入れたポットに植物として小松菜の種子を播種し、栽培開始時に培地に十分な散水を行った。その後、適宜灌水を行い、３０日間に亘って植物を栽培した。実施例１〜４、並びに参考例１及び２については、肥料供給装置を使用した。植物の生育性を確認するため、栽培期間終了後における生育状況を目視で確認した。実施例１〜４、及び参考例１〜３における生育性を表１に示す。
【００６３】
実施例１〜４の肥料供給装置で栽培した植物は、栽培初期から良好な生育状態を示し、その後も順調に生育し、栽培期間終了後における生育状況はいずれも良好であった。また、実施例１〜４においては、本発明に係る肥料供給装置を使用することで、単独肥料の濃度管理、及び肥料成分の微調整が可能であった。一方、参考例１及び２の植物は、生育が悪く、栽培期間終了後における生育状況はいずれも不良であった。参考例３の植物は、順調に生育したが、単独肥料の濃度管理、及び肥料成分の微調整においては、既に混合されている肥料であるため不可能であった。
【００６４】
以上より、本発明の肥料供給装置を用いると、単独肥料の濃度管理、及び肥料成分の微調整が可能であり、且つ良好に植物を生長させることが確認された。
【産業上の利用可能性】
【００６５】
本発明の肥料供給装置は、植物工場等における植物の栽培において利用可能であるが、ビニールハウスや屋外での植物の栽培においても利用可能である。
【符号の説明】
【００６６】
１                                液タンク
２（２ａ、２ｂ、２ｃ）            肥料カートリッジ
３（３ａ、３ｂ、３ｃ）            送液ポンプ
４（４ａ、４ｂ、４ｃ）            第一センサ
５                                制御部
９                                第二センサ
３０（３０ａ、３０ｂ、３０ｃ）    造粒体
１００、１０１                    肥料供給装置
【図１】
2018029489.tif 000004
【図２】
2018029489.tif 000005
【図３】
2018029489.tif 000006